(57)【要約】      （修正有）【課題】計測に要する空間に制限を伴うことなく、鉄骨柱の傾きを簡単に且つ高精度に計測可能にする装置を提供する。【解決手段】静止した状態における３軸加速度センサ１２の出力信号を測定系の３次元座標の原点情報として記憶部３５に記憶する原点処理機能を有する制御部３０と、測定系の３次元座標のＺ軸と重力加速度方向を一致させた状態での静止した状態における３軸角速度センサ１１の出力信号ωを３軸角速度センサ１１のゼロ点とする原点設定処理機能と、３軸加速度センサ１２の単位時間あたりの出力信号の変位に基づいて静止状態を検出して、原点情報を用いて、３軸角速度センサ１１の出力信号を補償するためのデータを算出する補償処理機能を有する測定部１０とからなり、原点設定され、補償処理の施された３軸角速度センサ１１の出力信号から、測定部１０又は制御部３０が備える測定処理機能により、傾き情報を得る。【選択図】図２
2018179533.tif 000002
【特許請求の範囲】
【請求項１】
少なくとも３軸角速度センサと、３軸加速度センサと、上記３軸角速度センサの出力信号ω（Ｘ、Ｙ、Ｚ）と上記３軸加速度センサの出力信号Ｓ（Ｘ、Ｙ、Ｚ）が供給される演算処理部とを筐体内に備える測定部と、原点情報を記憶する記憶部を有する制御部とからなり、無線通信機能によりデータを授受することによって、上記測定部と上記制御部とが連携して動作する倒れ測定装置であって、
上記制御部において、静止した状態における上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部に記憶する原点処理機能と、
上記測定部において、測定系の３次元座標（Ｘ、Ｙ、Ｚ）のＺ軸と重力加速度方向を一致させた状態での静止した状態における上記３軸角速度センサの出力信号ω（Ｘ０、Ｙ０、Ｚ０）を該３軸角速度センサのゼロ点とする原点設定処理機能と、
上記測定部において、上記３軸加速度センサの単位時間あたりの出力信号Ｓ（Ｘ、Ｙ、Ｚ）の変位に基づいて静止状態を検出して、上記記憶部に予め記憶された上記原点情報Ｓ（Ｘ０、Ｙ０、Ｚ０）を用いて、上記３軸角速度センサの出力信号ω（Ｘ、Ｙ、Ｚ）の少なくとも温度ドリフトを補償するためのデータを算出する補償処理機能と、
上記原点設定処理機能により原点設定され、上記補償処理機能により補償処理の施された上記３軸角速度センサの出力信号ω（Ｘ、Ｙ、Ｚ）について、上記測定部又は制御部において、上記３軸加速度センサの出力信号Ｓ（Ｘ、Ｙ、Ｚ）が上記記憶部に予め記憶されている上記原点情報Ｓ（Ｘ０、Ｙ０、Ｚ０）と一致するまでの間、上記３軸角速度センサの出力信号ω（Ｘ、Ｙ、Ｚ）を積分することにより、測定系のＺ軸の倒れに応じた角度情報θを得る測定処理機能と
を有し、
上記測定部を測定対象物に取り付けて、上記測定処理機能により測定対象物の倒れを測定する倒れ測定装置。
【請求項２】
上記測定部又は制御部において、上記温度ドリフト補償処理が施された上記３軸角速度センサの出力信号ω（Ｘ、Ｙ、Ｚ）により示される各軸の角速度情報を定義し、上記３軸角速度センサの各軸不感帯設定用左右閾値変数を設定する不感帯設定処理機能と、上記３軸角速度センサの各軸±バランス調整用のθ演算オフセット変数を定義して、上記各軸不感帯設定用左右閾値変数によるオフセット処理を行う各軸±バランス調整処理機能とを有することを特徴とする請求項１記載の倒れ測定装置。
【請求項３】
測定対象物は、鉄骨柱であることを特徴とする請求項１又は請求項２記載の倒れ測定装置。
【請求項４】
少なくとも３軸角速度センサと、３軸加速度センサと、上記３軸角速度センサの出力信号ω（Ｘ、Ｙ、Ｚ）と上記３軸加速度センサの出力信号Ｓ（Ｘ、Ｙ、Ｚ）が供給される演算処理部とを筐体内に備える測定部と、 原点情報を記憶する記憶部を有する制御部とからなり、無線通信機能によりデータを授受することによって、上記測定部と上記制御部とが連携して連携して動作する倒れ測定装置を使用する鉄骨建て方精度測定方法であって、
上記測定部を静止させた状態において、上記制御部が、上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部に記憶し、上記測定部における測定系の３次元座標（Ｘ、Ｙ、Ｚ）のＺ軸と重力加速度方向を一致させた静止状態での上記３軸角速度センサの出力信号ω（Ｘ０、Ｙ０、Ｚ０）を該３軸角速度センサのゼロ点とする原点設定を行う校正処理工程と、
上記校正処理済みの測定部を測定対象の鉄骨柱に所定の姿勢状態で取り付ける装着処理工程と、
上記測定部が所定の姿勢状態で取り付けられた鉄骨柱の建て入れ後の倒れを上記測定部に備えられた上記３軸加速度センサの出力信号Ｓ（Ｘ、Ｙ、Ｚ）と上記３軸角速度センサの出力信号ω（Ｘ、Ｙ、Ｚ）に基づいて測定する測定処理工程とを有し、
上記校正処理工程では、上記３軸加速度センサの単位時間あたりの出力信号Ｓ（Ｘ、Ｙ、Ｚ）の変位に基づいて静止状態を検出して、上記３軸加速度センサの出力信号Ｓ（Ｘ、Ｙ、Ｚ）を上記原点情報Ｓ（Ｘ０、Ｙ０、Ｚ０）として上記記憶部に記憶し、 上記３軸加速度センサの単位時間あたりの出力信号Ｓ（Ｘ、Ｙ、Ｚ）の変位に基づいて静止状態を検出し、上記記憶部に予め記憶された上記原点情報Ｓ（Ｘ０、Ｙ０、Ｚ０）を用いて、上記３軸角速度センサの出力信号ω（Ｘ、Ｙ、Ｚ）の少なくとも温度ドリフトを補償するためのデータを算出し、補償処理を施した上記３軸角速度センサの出力信号ω（Ｘ、Ｙ、Ｚ）を用いて上記３軸角速度センサの原点設定を行い、
上記測定処理工程では、上記測定部において、上記３軸加速度センサの単位時間あたりの出力信号Ｓ（Ｘ、Ｙ、Ｚ）の変位に基づいて静止状態を検出して、上記記憶部に予め記憶された上記原点情報Ｓ（Ｘ０、Ｙ０、Ｚ０）を用いて、上記３軸角速度センサの出力信号ω（Ｘ、Ｙ、Ｚ）を補償するためのデータを算出し、上記原点設定され、補償処理が施された上記３軸角速度センサの出力信号ω（Ｘ、Ｙ、Ｚ）  について、上記測定部又は制御部において、上記３軸加速度センサの出力信号Ｓ（Ｘ、Ｙ、Ｚ）が上記記憶部に予め記憶されている上記原点情報Ｓ（Ｘ０、Ｙ０、Ｚ０）と一致するまでの間、上記３軸角速度センサの出力信号ω（Ｘ、Ｙ、Ｚ）を積分することにより、測定系のＺ軸の倒れに応じた角度情報θを得ることを特徴とする鉄骨建て方精度測定方法。
【請求項５】
測定対象の複数の鉄骨柱にそれぞれ上記校正処理済みの測定部を取り付けて、１台の管理装置により、各測定部から上記無線通信機能により測定データを取得し、上記測定対象の複数の鉄骨柱の倒れを示す複数の角度情報を集約管理することを特徴とする請求項４記載の鉄骨建て方精度測定方法。
【請求項６】
請求項１に記載の倒れ測定装置のキャリブレーション方法であって、下げ振りの先端に測定部を設置し、測定部が静止した状態において倒れ測定装置の座標系におけるＺ軸と重力加速度方向の軸を合わせた状態を基準値とすることを特徴とする倒れ測定装置のキャリブレーション方法。
【請求項７】
少なくとも３軸角速度センサと、３軸加速度センサと、上記３軸角速度センサの出力信号ω（Ｘ、Ｙ、Ｚ）と上記３軸加速度センサの出力信号Ｓ（Ｘ、Ｙ、Ｚ）が供給される演算処理部とを筐体内に備える測定部と、原点情報を記憶する記憶部を有する制御部とからなり、無線通信機能によりデータを授受することによって、上記測定部と上記制御部とが連携して動作する倒れ測定装置に搭載されるコンピュータにより実行される倒れ測定処理プログラムであって、
上記制御部において、静止した状態における上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部に記憶する原点処理を実行する原点処理機能と、
上記測定部において、測定系の３次元座標（Ｘ、Ｙ、Ｚ）のＺ軸と重力加速度方向を一致させた状態での静止した状態における上記３軸角速度センサの出力信号ω（Ｘ０、Ｙ０、Ｚ０）を該３軸角速度センサのゼロ点とする原点設定処理を実行する原点設定処理機能と、
上記測定部において、上記３軸加速度センサの単位時間あたりの出力信号Ｓ（Ｘ、Ｙ、Ｚ）の変位に基づいて静止状態を検出して、上記記憶部に予め記憶された上記原点情報Ｓ（Ｘ０、Ｙ０、Ｚ０）を用いて、上記３軸角速度センサの出力信号ω（Ｘ、Ｙ、Ｚ）の少なくとも温度ドリフトを補償するためのデータを算出する補償処理を実行する補償処理機能と、
上記原点設定処理機能により原点設定され、上記補償処理機能により補償処理の施された上記３軸角速度センサの出力信号ω（Ｘ、Ｙ、Ｚ）について、上記測定部又は制御部において、上記３軸加速度センサの出力信号Ｓ（Ｘ、Ｙ、Ｚ）が上記記憶部に予め記憶されている上記原点情報Ｓ（Ｘ０、Ｙ０、Ｚ０）と一致するまでの間、上記３軸角速度センサの出力信号ω（Ｘ、Ｙ、Ｚ）を積分することにより、測定系のＺ軸の倒れに応じた角度情報θを得る測定処理を実行する測定処理機能と
を有することを特徴とする倒れ測定処理プログラム。
【発明の詳細な説明】
【技術分野】
【０００１】
本発明は、測定対象物の倒れを測定する倒れ測定装置、それを用いる鉄骨建て方精度測定方法、倒れ測定装置のキャリブレーション方法、及び、倒れ測定処理プログラムに関する。
【背景技術】
【０００２】
従来、建築構造物を施工する際には、柱や壁等を構成する構築材が倒れや歪みなく組み立てられていることを検査する必要がある。高層建築物等の鉄骨造りの建築工事においては、鉄骨柱の倒れに関して日本建築学会、鉄骨精度検査基準で標準許容誤差が決められている。
【０００３】
そこで、例えば、建ち込まれた鉄骨柱の建ちを検査する場合、鉄骨柱頭部に下げ振りや鉛直儀を設置し、鉄骨柱頭部と脚部との寸法を計ったり、柱に対して直角方向に据えられた２台のトランシットによって測定して、鉄骨柱が鉛直に立っているか否かを確認する。鉄骨柱に倒れが確認された場合には、鉄骨柱の倒れを除去する建入れ直しを行う。この場合、各鉄骨柱の建ちが正常となるように鉄骨柱に接続した調整材を微調整し、建て入れが正しくなったところで、ボルトを本締めする。
【０００４】
しかしながら、下げ振りや鉛直儀では、測定を行うことができる高さに限度があり、高層建造物での倒れ測定は困難であり、さらに、風等に影響されるため測定精度が悪く、人手及び作業に時間を要するという問題がある。
【０００５】
また、２台のトランシットを用いる方式では、トランシットで移動中の相手を測量する必用があり、経験を要するとともに測量者の誤差が問題となり、鉄骨柱建て方工事の仮締め、本締め等の進捗段階ごとにトランシット測量を行うため、作業が繁雑であるという問題がある。
【０００６】
さらに、高層建築物になると、地上の既知座標である基準点を節（３階程度の高さ）ごとに上方に盛り変えていく必要があるため、累積誤差が生じ測定精度の信頼性が低下するという問題を有している。
【０００７】
超高層構造物を施工する際には、鉛直方向の施工精度を計測するため、レーザーや光波測距儀が用いられている。
【０００８】
レーザーを用いた計測方法では、地上の基準点にレーザー発光器を設置し、このレーザー発光器から鉛直上方に向けてレーザーを照射し、このレーザーの指示箇所と構造物最上層に設置された基準点との差を計測して鉛直方向の施工精度を求めるので、レーザーが地上の基準点から構造物最上層の基準点まで通り抜けることができる何の障害もない鉛直方向の空間が必要であり、構造物が超高層になればなるほど、このような鉛直空間の確保は困難になるという問題点がある。
【０００９】
また、光波測距儀を用いた計測方法では、施工中の構造物最上層の基準点に設置した光波ミラーや、地上あるいは付近の建築物の屋上に設置した光波ミラーを視準して構造物側の基準点の移動量を計測して鉛直方向の施工精度を求めるので、地上に光波測距儀を設置した場合、構造物が超高層になるにしたがって、最上階の基準点を視準する際の仰角が大きくなり、視準が不可能になる（仰角４０〜４５°が限界）という欠点がある。この欠点は、光波測距儀の位置を構造物からできるだけ遠ざければ、回避することができるが、構造物の高さによっては数１００ｍから１ｋｍも離さなければならず、このような遠距離からの計測は数ｃｍの誤差を生じることが多く、更にまた、計測結果は天候にも左右されるという問題点がある。
【００１０】
また、以前から鉄骨部材の建て入れ調整を自動化して管理する技術（例えば、特許文献１参照。）や、鉄骨部材の建て方時にトータルステーションを用いて測定した測定ポイントの３次元座標を計算し、３次元ＣＡＤデータとの照合を行う技術も知られている（例えば、特許文献２参照。）。特許文献２に記載の発明は、鉄骨工事を対象としてトータルステーションと受光機を利用して、ある限られた数の測量点に対して鉛直角、水平角及び距離から当該測量点の３次元座標を計算し、ＣＡＤデータとの照合を行うものである。
【先行技術文献】
【特許文献】
【００１１】
【特許文献１】特開平１０−８２１８３号公報
【特許文献２】特開平８−２１８６３３号公報
【発明の概要】
【発明が解決しようとする課題】
【００１２】
しかしながら、従来より知られている下げ振りや鉛直儀による鉄骨柱の傾き測定では、測定を行うことができる高さに限度があり、高層建造物での倒れ測定は困難であり、さらに、風等に影響されるため測定精度が悪く、人手及び作業に時間を要するという問題がある。
【００１３】
また、２台のトランシットを用いる方式では、トランシットで移動中の相手を測量する必用があり、経験を要するとともに測量者の誤差が問題となり、鉄骨柱建て方工事の仮締め、本締め等の進捗段階ごとにトランシット測量を行うため、作業が繁雑であるという問題がある。
【００１４】
さらに、レーザーや光波測距儀による鉛直方向の施工精度計測では、計測に要する空間に制限を伴うという問題点がある。
【００１５】
高層ビルの建築に際しては、建築途中の構造物の最上階（施工階）において、施工中の鉄骨柱が設計図通りに鉛直に施工されているかを厳密に管理する必要があるので、レーザ測定器など等の大型で高価な測定器が使用される。
【００１６】
しかしながら、この方法では、鉄骨柱の全てに測定器を取り付けて同時に傾き測定を行うことは難しく、建物全体の変位をリアルタイムに計測することができない。
【００１７】
そこで、本発明の目的は、上述したような従来の技術の問題点に鑑み、計測に要する空間に制限を伴うことなく、測定対象物の倒れを簡単に且つ高精度に計測可能できるようにした倒れ測定装置、それを用いる鉄骨建て方精度測定方法、倒れ測定装置のキャリブレーション方法、及び、上記傾き測定装置に搭載されるコンピュータにより測定処理を実行させるための倒れ測定処理プログラムを提供することにある。
【００１８】
本発明のさらに他の目的、本発明によって得られる具体的な利点は、以下において図面を参照して説明される実施に形態から一層明らかにされる。
【課題を解決するための手段】
【００１９】
本発明では、無線通信機能によりデータを授受することによって、測定部と制御部とを連携して動作させ、静止した状態における３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として記憶し、測定系の３次元座標（Ｘ、Ｙ、Ｚ）のＺ軸と重力加速度方向を一致させた状態での静止した状態における３軸角速度センサの出力信号ω（Ｘ０、Ｙ０、Ｚ０）をゼロ点とする原点設定を行い、原点設定され、少なくとも温度ドリフトが補償された上記３軸角速度センサの出力信号ω（Ｘ、Ｙ、Ｚ）を積分することにより、測定対象物の傾き情報を得る。
【００２０】
すなわち、本発明は、少なくとも３軸角速度センサと、３軸加速度センサと、上記３軸角速度センサの出力信号ω（Ｘ、Ｙ、Ｚ）と上記３軸加速度センサの出力信号Ｓ（Ｘ、Ｙ、Ｚ）が供給される演算処理部と筐体内に備える測定部と、原点情報を記憶する記憶部を有する制御部とからなり、無線通信機能によりデータを授受することによって、上記測定部と上記制御部とが連携して動作する倒れ測定装置であって、上記制御部において、静止した状態における上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部に記憶する原点処理機能と、上記測定部において、測定系の３次元座標（Ｘ、Ｙ、Ｚ）のＺ軸と重力加速度方向を一致させた状態での静止した状態における上記３軸角速度センサの出力信号ω（Ｘ０、Ｙ０、Ｚ０）を該３軸角速度センサのゼロ点とする原点設定処理機能と、上記測定部において、上記３軸加速度センサの単位時間あたりの出力信号Ｓ（Ｘ、Ｙ、Ｚ）の変位に基づいて静止状態を検出して、上記記憶部に予め記憶された上記原点情報Ｓ（Ｘ０、Ｙ０、Ｚ０）を用いて、上記３軸角速度センサの出力信号ω（Ｘ、Ｙ、Ｚ）の少なくとも温度ドリフトを補償するためのデータを算出する補償処理機能と、上記原点設定処理機能により原点設定され、上記補償処理機能により補償処理の施された上記３軸角速度センサの出力信号ω（Ｘ、Ｙ、Ｚ）について、上記測定部又は制御部において、上記３軸加速度センサの出力信号Ｓ（Ｘ、Ｙ、Ｚ）が上記記憶部に予め記憶されている上記原点情報Ｓ（Ｘ０、Ｙ０、Ｚ０）と一致するまでの間、上記３軸角速度センサの出力信号ω（Ｘ、Ｙ、Ｚ）を積分することにより、測定系のＺ軸の倒れに応じた角度情報θを得る測定処理機能とを有し、上記測定部を測定対象物に取り付けて、上記測定処理機能により測定対象物の倒れを測定することを特徴とする。  本発明に係る倒れ測定装置は、上記測定部又は制御部において、上記温度ドリフト補償処理が施された上記３軸角速度センサの出力信号ω（Ｘ、Ｙ、Ｚ）により示される各軸の角速度情報を定義し、上記３軸角速度センサの各軸不感帯設定用左右閾値変数を設定する不感帯設定処理機能と、上記３軸角速度センサの各軸±バランス調整用のθ演算オフセット変数を定義して、上記各軸不感帯設定用左右閾値変数によるオフセット処理を行う各軸±バランス調整処理機能とを有するものとすることができる。本発明に係る倒れ測定装置において、測定対象物は、鉄骨柱であるものとすることができる。
【００２１】
また、本発明は、少なくとも３軸角速度センサと、３軸加速度センサと、上記３軸角速度センサの出力信号ω（Ｘ、Ｙ、Ｚ）と上記３軸加速度センサの出力信号Ｓ（Ｘ、Ｙ、Ｚ）が供給される演算処理部と筐体内に備える測定部と、 原点情報を記憶する記憶部を有する制御部とからなり、無線通信機能によりデータを授受することによって、上記測定部と上記制御部とが連携して連携して動作する倒れ測定装置を使用する鉄骨建て方精度測定方法であって、上記測定部を静止させた状態において、上記制御部が、上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部に記憶し、上記測定部における測定系の３次元座標（Ｘ、Ｙ、Ｚ）のＺ軸と重力加速度方向を一致させた静止状態での上記３軸角速度センサの出力信号ω（Ｘ０、Ｙ０、Ｚ０）を該３軸角速度センサのゼロ点とする原点設定を行う校正処理工程と、上記校正処理済みの測定部を測定対象の鉄骨柱に所定の姿勢状態で取り付ける装着処理工程と、上記測定部が所定の姿勢状態で取り付けられた鉄骨柱の建て入れ後の倒れを上記測定部に備えられた上記３軸加速度センサの出力信号Ｓ（Ｘ、Ｙ、Ｚ）と上記３軸角速度センサの出力信号ω（Ｘ、Ｙ、Ｚ）に基づいて測定する測定処理工程とを有し、上記校正処理工程では、上記３軸加速度センサの単位時間あたりの出力信号Ｓ（Ｘ、Ｙ、Ｚ）の変位に基づいて静止状態を検出して、上記３軸加速度センサの出力信号Ｓ（Ｘ、Ｙ、Ｚ）を上記原点情報Ｓ（Ｘ０、Ｙ０、Ｚ０）として上記記憶部に記憶し、 上記３軸加速度センサの単位時間あたりの出力信号Ｓ（Ｘ、Ｙ、Ｚ）の変位に基づいて静止状態を検出し、上記記憶部に予め記憶された上記原点情報Ｓ（Ｘ０、Ｙ０、Ｚ０）を用いて、上記３軸角速度センサの出力信号ω（Ｘ、Ｙ、Ｚ）の少なくとも温度ドリフトを補償するためのデータを算出し、補償処理を施した上記３軸角速度センサの出力信号ω（Ｘ、Ｙ、Ｚ）を用いて上記３軸角速度センサの原点設定を行い、上記測定処理工程では、上記測定部において、上記３軸加速度センサの単位時間あたりの出力信号Ｓ（Ｘ、Ｙ、Ｚ）の変位に基づいて静止状態を検出して、上記記憶部に予め記憶された上記原点情報Ｓ（Ｘ０、Ｙ０、Ｚ０）を用いて、上記３軸角速度センサの出力信号ω（Ｘ、Ｙ、Ｚ）を補償するためのデータを算出し、上記原点設定され、補償処理が施された上記３軸角速度センサの出力信号ω（Ｘ、Ｙ、Ｚ）について、上記測定部又は制御部において、上記３軸加速度センサの出力信号Ｓ（Ｘ、Ｙ、Ｚ）が上記記憶部に予め記憶されている上記原点情報Ｓ（Ｘ０、Ｙ０、Ｚ０）と一致するまでの間、上記３軸角速度センサの出力信号ω（Ｘ、Ｙ、Ｚ）を積分することにより、測定系のＺ軸の倒れに応じた角度情報θを得ることを特徴とする。
【００２２】
本発明に係る鉄骨建て方精度測定方法は、測定対象の複数の鉄骨柱にそれぞれ上記校正処理済みの測定部を取り付けて、１台の管理装置により、各測定部から上記無線通信機能により測定データを取得し、上記測定対象の複数の鉄骨柱の倒れを示す複数の角度情報を集約管理するものとすることができる。
【００２３】
また、本発明は、請求項１に記載の倒れ測定装置のキャリブレーション方法であって、下げ振りの先端に測定部を設置し、測定部が静止した状態において倒れ測定装置の座標系におけるＺ軸と重力加速度方向の軸合わせた状態を基準値とすることを特徴とする。
【００２４】
さらに、本発明は、少なくとも３軸角速度センサと、３軸加速度センサと、上記３軸角速度センサの出力信号ω（Ｘ、Ｙ、Ｚ）と上記３軸加速度センサの出力信号Ｓ（Ｘ、Ｙ、Ｚ）が供給される演算処理部と筐体内に備える測定部と、原点情報を記憶する記憶部を有する制御部とからなり、無線通信機能によりデータを授受することによって、上記測定部と上記制御部とが連携して動作する倒れ測定装置に搭載されるコンピュータにより実行される倒れ測定処理プログラムであって、上記制御部において、静止した状態における上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部に記憶する原点処理を実行する原点処理機能と、上記測定部において、測定系の３次元座標（Ｘ、Ｙ、Ｚ）のＺ軸と重力加速度方向を一致させた状態での静止した状態における上記３軸角速度センサの出力信号ω（Ｘ０、Ｙ０、Ｚ０）を該３軸角速度センサのゼロ点とする原点設定処理を実行する原点設定処理機能と、上記測定部において、上記３軸加速度センサの単位時間あたりの出力信号Ｓ（Ｘ、Ｙ、Ｚ）の変位に基づいて静止状態を検出して、上記記憶部に予め記憶された上記原点情報Ｓ（Ｘ０、Ｙ０、Ｚ０）を用いて、上記３軸角速度センサの出力信号ω（Ｘ、Ｙ、Ｚ）の少なくとも温度ドリフトを補償するためのデータを算出する補償処理を実行する補償処理機能と、上記原点設定処理機能により原点設定され、上記補償処理機能により補償処理の施された上記３軸角速度センサの出力信号ω（Ｘ、Ｙ、Ｚ）について、上記測定部又は制御部において、上記３軸加速度センサの出力信号Ｓ（Ｘ、Ｙ、Ｚ）が上記記憶部に予め記憶されている上記原点情報Ｓ（Ｘ０、Ｙ０、Ｚ０）と一致するまでの間、上記３軸角速度センサの出力信号ω（Ｘ、Ｙ、Ｚ）を積分することにより、測定系のＺ軸の倒れに応じた角度情報θを得る測定処理を実行する測定処理機能とを有することを特徴とする。
【発明の効果】
【００２５】
本発明に係る倒れ測定装置では、少なくとも３軸角速度センサと、３軸加速度センサと、上記３軸角速度センサの出力信号ω（Ｘ、Ｙ、Ｚ）と上記３軸加速度センサの出力信号Ｓ（Ｘ、Ｙ、Ｚ）が供給される演算処理部と筐体内に備える測定部と、原点情報を記憶する記憶部を有する制御部とからなり、無線通信機能によりデータを授受することによって、上記測定部と上記制御部とが連携して動作して、上記制御部が備える原点処理機能により、上記測定部が静止した状態における上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部に記憶し、上記測定部が備える原点設定処理機能により、測定系の３次元座標（Ｘ、Ｙ、Ｚ）のＺ軸と重力加速度方向を一致させた状態での静止した状態における上記３軸角速度センサの出力信号ω（Ｘ０、Ｙ０、Ｚ０）を該３軸角速度センサのゼロ点とする。
【００２６】
また、上記測定部が備える補償処理機能により、上記３軸加速度センサの単位時間あたりの出力信号Ｓ（Ｘ、Ｙ、Ｚ）の変位に基づいて静止状態を検出して、上記記憶部に予め記憶された上記原点情報Ｓ（Ｘ０、Ｙ０、Ｚ０）を用いて、上記３軸角速度センサの出力信号ω（Ｘ、Ｙ、Ｚ）の少なくとも温度ドリフトを補償するためのデータを算出する。
【００２７】
そして、上記原点設定処理機能により原点設定され、上記補償処理機能により補償処理の施された上記３軸角速度センサの出力信号ω（Ｘ、Ｙ、Ｚ）について、上記測定部又は制御部が備える測定処理機能により、上記３軸加速度センサの出力信号Ｓ（Ｘ、Ｙ、Ｚ）が上記記憶部に予め記憶されている上記原点情報Ｓ（Ｘ０、Ｙ０、Ｚ０）と一致するまでの間、上記３軸角速度センサの出力信号ω（Ｘ、Ｙ、Ｚ）を積分することにより、測定系のＺ軸の倒れに応じた角度情報θを得ることができる。
【００２８】
したがって、本発明に係る倒れ測定装置では、測定部と制御部と無線通信機能によりデータを授受することによって連携して動作するので、計測に要する空間に制限を伴うことなく、上記測定部を測定対象物に取り付けて、上記測定部と制御部に備えられる測定処理機能により測定対象物の倒れを簡単に且つ高精度に計測することができる。
【００２９】
本発明に係る倒れ測定装置では、測定部の演算処理部又は制御部が備える不感帯設定処理機能とバランス調整処理機能により、３軸角速度センサの不感帯設定処理とバランス調整処理を行うことができる。
【００３０】
また、本発明に係る倒れ測定装置では、鉄骨柱を測定対象物とし、上記測定部を鉄骨柱に取り付けることにより、計測に要する空間に制限を伴うことなく、鉄骨柱の倒れを簡単に且つ高精度に計測することができる。
【００３１】
本発明に係る鉄骨建て方精度測定方法では、少なくとも３軸角速度センサと、３軸加速度センサと、上記３軸角速度センサの出力信号ω（Ｘ、Ｙ、Ｚ）と上記３軸加速度センサの出力信号Ｓ（Ｘ、Ｙ、Ｚ）が供給される演算処理部と筐体内に備える測定部と、 原点情報を記憶する記憶部を有する制御部とからなり、無線通信機能によりデータを授受することによって、上記測定部と上記制御部とが連携して連携して動作する倒れ測定装置を使用して、校正処理工程で、上記測定部を静止させた状態において、上記制御部が、上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部に記憶し、上記測定部における測定系の３次元座標（Ｘ、Ｙ、Ｚ）のＺ軸と重力加速度方向を一致させた静止状態での上記３軸角速度センサの出力信号ω（Ｘ０、Ｙ０、Ｚ０）を該３軸角速度センサのゼロ点とする原点設定を行い、測定処理工程で、上記校正処理済みの測定部を測定対象の鉄骨柱に所定の姿勢状態で取り付ける装着処理工程と、上記測定部が所定の姿勢状態で取り付けられた鉄骨柱の建て入れ後の倒れを上記測定部に備えられた上記３軸加速度センサの出力信号Ｓ（Ｘ、Ｙ、Ｚ）と上記３軸角速度センサの出力信号ω（Ｘ、Ｙ、Ｚ）に基づいて測定する。
【００３２】
本発明に係る鉄骨建て方精度測定方法において、上記校正処理工程では、上記３軸加速度センサの単位時間あたりの出力信号Ｓ（Ｘ、Ｙ、Ｚ）の変位に基づいて静止状態を検出して、上記３軸加速度センサの出力信号Ｓ（Ｘ、Ｙ、Ｚ）を上記原点情報Ｓ（Ｘ０、Ｙ０、Ｚ０）として上記記憶部に記憶し、 上記３軸加速度センサの単位時間あたりの出力信号Ｓ（Ｘ、Ｙ、Ｚ）の変位に基づいて静止状態を検出し、上記記憶部に予め記憶された上記原点情報Ｓ（Ｘ０、Ｙ０、Ｚ０）を用いて、上記３軸角速度センサの出力信号ω（Ｘ、Ｙ、Ｚ）の少なくとも温度ドリフトを補償するためのデータを算出し、補償処理を施した上記３軸角速度センサの出力信号ω（Ｘ、Ｙ、Ｚ）を用いて上記３軸角速度センサの原点設定を行い、上記測定処理工程では、上記測定部において、上記３軸加速度センサの単位時間あたりの出力信号Ｓ（Ｘ、Ｙ、Ｚ）の変位に基づいて静止状態を検出して、上記記憶部に予め記憶された上記原点情報Ｓ（Ｘ０、Ｙ０、Ｚ０）を用いて、上記３軸角速度センサの出力信号ω（Ｘ、Ｙ、Ｚ）を補償するためのデータを算出し、上記原点設定され、補償処理が施された上記３軸角速度センサの出力信号ω（Ｘ、Ｙ、Ｚ）  について、上記測定部又は制御部において、上記３軸加速度センサの出力信号Ｓ（Ｘ、Ｙ、Ｚ）が上記記憶部に予め記憶されている上記原点情報Ｓ（Ｘ０、Ｙ０、Ｚ０）と一致するまでの間、上記３軸角速度センサの出力信号ω（Ｘ、Ｙ、Ｚ）を積分することにより、測定系のＺ軸の倒れに応じた角度情報θを得ることができる。
【００３３】
したがって、本発明に係る鉄骨建て方精度測定方法では、無線通信機能によりデータを授受することによって測定部と制御部と連携して動作させるので、計測に要する空間に制限を伴うことなく、上記測定部を鉄骨柱に取り付けて、鉄骨柱の倒れを簡単に且つ高精度に計測することができる。
【００３４】
本発明に係る鉄骨建て方精度測定方法では、測定対象の複数の鉄骨柱にそれぞれ上記校正処理済みの測定部を取り付けて、１台の管理装置により、各測定部から上記無線通信機能により測定データを取得し、上記測定対象の複数の鉄骨柱の倒れを示す複数の角度情報を集約管理することができる。
【００３５】
本発明に係るキャリブレーション方法では、請求項１に記載の倒れ測定装置の測定部を下げ振りの先端に設置することにより、測定部が静止した状態において測定部の座標系におけるＺ軸と重力加速度方向の軸合わせた状態を基準値とする測定部のキャリブレーションを行うことができる。
【００３６】
本発明に係る鉄骨建て方精度測定プログラムでは、少なくとも３軸角速度センサと、３軸加速度センサと、上記３軸角速度センサの出力信号ω（Ｘ、Ｙ、Ｚ）と上記３軸加速度センサの出力信号Ｓ（Ｘ、Ｙ、Ｚ）が供給される演算処理部と筐体内に備える測定部と、原点情報を記憶する記憶部を有する制御部とからなり、無線通信機能によりデータを授受することによって、上記測定部と上記制御部とが連携して動作する倒れ測定装置に搭載されるコンピュータにより、上記制御部において、静止した状態における上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部に記憶する原点処理を実行する原点処理機能と、上記測定部において、測定系の３次元座標（Ｘ、Ｙ、Ｚ）のＺ軸と重力加速度方向を一致させた状態での静止した状態における上記３軸角速度センサの出力信号ω（Ｘ０、Ｙ０、Ｚ０）を該３軸角速度センサのゼロ点とする原点設定処理を実行する原点設定処理機能と、上記測定部において、上記３軸加速度センサの単位時間あたりの出力信号Ｓ（Ｘ、Ｙ、Ｚ）の変位に基づいて静止状態を検出して、上記記憶部に予め記憶された上記原点情報Ｓ（Ｘ０、Ｙ０、Ｚ０）を用いて、上記３軸角速度センサの出力信号ω（Ｘ、Ｙ、Ｚ）の少なくとも温度ドリフトを補償するためのデータを算出する補償処理を実行する補償処理機能と、上記原点設定処理機能により原点設定され、上記補償処理機能により補償処理の施された上記３軸角速度センサの出力信号ω（Ｘ、Ｙ、Ｚ）について、上記測定部又は制御部において、上記３軸加速度センサの出力信号Ｓ（Ｘ、Ｙ、Ｚ）が上記記憶部に予め記憶されている上記原点情報Ｓ（Ｘ０、Ｙ０、Ｚ０）と一致するまでの間、上記３軸角速度センサの出力信号ω（Ｘ、Ｙ、Ｚ）を積分することにより、測定系のＺ軸の倒れに応じた角度情報θを得る測定処理を実行する測定処理機能とを実現することができる。
【００３７】
したがって、本発明によれば、計測に要する空間に制限を伴うことなく、測定対象物の倒れを簡単に且つ高精度に計測可能できるようにした倒れ測定装置、それを用いる鉄骨建て方精度測定方法、倒れ測定装置のキャリブレーション方法、及び、上記傾き測定装置に搭載されるコンピュータにより測定処理を実行させるための倒れ測定処理プログラムを提供することができる。
【図面の簡単な説明】
【００３８】
【図１】本発明の一実施形態に係る倒れ測定装置を用いた鉄骨建て方精度管理システムの構成を示す概要図である。
【図２】上記倒れ測定装置の構成例を示す図である。
【図３】上記倒れ測定装置を用いて実施される本発明に係る鉄骨建て方精度測定方法による鉄骨柱の倒れ測定の手順を示すフローチャートである。
【図４】上記鉄骨建て方精度測定方法の校正処理工程おける処理手順を示すフローチャートである。
【図５】上記校正処理工程において、原点設定を行うための原点用治具の一例を示す斜視図である。
【図６】上記校正処理工程において、原点設定を行うための原点用治具の他の例を示す斜視図である。
【図７】下げ振りを原点用治具として使用する場合の説明に供する模式図である。
【図８】下げ振りにより測定系の３次元座標（Ｘ、Ｙ、Ｚ）のＺ軸を重力加速度方向と一致とさせた状態の測定部を模式的に示す斜視図である。
【図９】上記倒れ測定装置の測定部に備えられる３軸角速度センサの出力信号ω（Ｘ、Ｙ、Ｚ）の温度依存性の一例を示す特性図である。
【図１０】上記鉄骨建て方精度測定方法の装着処理工程において上記倒れ測定装置の測定部を測定対象の鉄骨柱に取り付けた状態を示す図である。
【図１１】上記方精度測定方法の測定処理工程において測定対象の鉄骨柱の倒れを測定する処理の手順を示すフローチャートである。
【図１２】上記鉄骨柱の倒れの様子を示す模式図である。
【図１３】上記倒れ測定装置の使用状態を示す図である。
【図１４】上記倒れ測定装置の測定部に設けた表示部の表示内容を示す図である。
【発明を実施するための形態】
【００３９】
以下、本発明に係る倒れ測定装置、それを用いる鉄骨建て方精度測定方法、倒れ測定装置のキャリブレーション方法、及び、上記傾き測定装置に搭載されるコンピュータにより測定処理を実行させるための倒れ測定処理プログラムを提供する倒れ方精度測定装置、鉄骨建て方精度測定方法、キャリブレーション方法、固定方法、表示方法、建方精度集約方法、及び、プログラムの実施の形態を図面を参照にして詳細に説明をする。
【００４０】
本発明は、例えば図１の概要図に示すような構成の鉄骨建て方精度管理システム１００に適用される。
【００４１】
この鉄骨建て方精度管理システム１００は、複数台の倒れ測定器１０ＡＡ，１０ＡＢ，１０ＡＣ・・・，１０ＢＡ，１０ＢＢ，・・・と１台のコンピュータを用いた鉄骨建て方精度管理装置１からなる。
【００４２】
鉄骨建て方精度管理装置１は、対象となる鉄骨建方工事中の鉄骨柱１１０ＡＡ，１１０ＡＢ，１１０ＡＣ・・・，１１０ＢＡ，１１０ＢＢ，・・・の所定位置に取り付けられた各倒れ測定器１０ＡＡ，１０ＡＢ，１０ＡＣ・・・，１０ＢＡ，１０ＢＢ，・・・によって取得される各測定データを無線通信を利用して１台で集約管理する。
【００４３】
鉄骨建て方精度管理装置１は、各倒れ測定器１０ＡＡ，１０ＡＢ，１０ＡＣ・・・，１０ＢＡ，１０ＢＢ，・・・とデータの授受を行うための無線通信機能を有する演算処理処装置、例えばパーソナルコンピュータ（ＰＣ）からなる。
【００４４】
この鉄骨建て方精度管理システム１００における倒れ測定器１０ＡＡ，１０ＡＢ，１０ＡＣ・・・，１０ＢＡ，１０ＢＢ，・・・には、例えば図２に示すような構成の本発明に係る倒れ測定装置４０における測定部１０が用いられている。
【００４５】
この倒れ測定装置４０は、無線通信機能によりデータを授受することによって連携して動作する測定部１０と制御部３０からなる。
【００４６】
上記測定部１０は、３軸角速度センサ１１と、３軸加速度センサ１２と、上記３軸加速度センサ１２の出力信号Ｓ（Ｘ、Ｙ、Ｚ）と上記３軸角速度センサ１１の出力信号ω（Ｘ、Ｙ、Ｚ）が供給される演算処理部１３と、無線通信部１４が、バッテリ電源部１５とともに防水筐体２０内に設けられており、上記防水筐体２０に設けられた電源スイッチ１６の操作により上記バッテリ電源部１４をオン・オフできるようになっている。
【００４７】
また、上記制御部３０は、上記測定部１０の演算処理部１３とデータの授受を行うための無線通信機能を有する演算処理処装置、例えばパーソナルコンピュータ（ＰＣ）からなり、後述するように、インストールされた傾き測定プログラムにしたがって、上記測定部１０とデータの授受を行うことにより連携して、上記測定部１０による傾き測定の動作を制御するようになっている。上記制御部３０は、上記測定部１０により傾き測定を行う測定系の３次元座標（Ｘ、Ｙ、Ｚ）の原点情報を記憶する記憶部３５を備えている。
【００４８】
この倒れ測定装置４０において、上記測定部１０に備えられた３軸角速度センサ１１は、この測定部１０が３次元座標（Ｘ、Ｙ、Ｚ）空間で回転されたとき、３軸（Ｘ、Ｙ、Ｚ）を回転軸とする回転方向の角速度を検知し、角速度に応じた電圧の信号ω（Ｘ、Ｙ、Ｚ）を出力する。
【００４９】
また、３軸加速度センサ１２は、この測定部１０が３次元座標（Ｘ、Ｙ、Ｚ）空間で移動されたとき、３軸（Ｘ、Ｙ、Ｚ）方向の加速度を検知し、加速度に応じた電圧の信号Ｓ（Ｘ、Ｙ、Ｚ）を出力する。
【００５０】
そして、この倒れ測定装置４０は、傾き測定を行う測定系の３次元座標（Ｘ、Ｙ、Ｚ）の原点情報を記憶する原点処理機能と、測定系の３次元座標（Ｘ、Ｙ、Ｚ）のＺ軸と重力加速度方向を一致させた状態で３軸角速度センサ１１のゼロ点を設定する原点設定処理機能、温度等による環境変化に伴う上記３軸角速度センサ１１の出力変動を補償するためのデータを算出する補償処理機能、原点設定され、補償処理の施された上記３軸角速度センサ１１の出力信号ω（Ｘ、Ｙ、Ｚ）から、傾き情報を得る測定処理機能などの各種機能を有している。
【００５１】
この倒れ測定装置４０における上記原点処理機能は、上記制御部３０に備えられる。
【００５２】
すなわち、上記測定部１０と制御部３０が連携して動作することにより、上記制御部３０において、静止した状態における上記３軸加速度センサ１２の出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部３５に記憶する上記原点処理機能を有する。
【００５３】
また、この倒れ測定装置４０における上記原点設定処理機能と補償処理機能は、上記測定部１０に備えられる。
【００５４】
上記測定部１０の演算処理部１３は、上記原点設定処理機能により、測定系の３次元座標（Ｘ、Ｙ、Ｚ）のＺ軸と重力加速度方向を一致させた状態での静止した状態における上記３軸角速度センサ１１の出力信号ω（Ｘ０、Ｙ０、Ｚ０）を該３軸角速度センサ１１のゼロ点とする原点設定処理を行い、また、上記補償処理機能により、上記３軸加速度センサ１２の単位時間あたりの出力信号Ｓ（Ｘ、Ｙ、Ｚ）の変位に基づいて静止状態を検出して、上記記憶部３５に予め記憶された上記原点情報Ｓ（Ｘ０、Ｙ０、Ｚ０）を用いて、上記３軸角速度センサ１１の出力信号ω（Ｘ、Ｙ、Ｚ）の少なくとも温度ドリフトを補償するためのデータを算出する補償処理を行う。
【００５５】
そして、この倒れ測定装置４０における上記測定処理機能は、上記測定部１０又は上記制御部３０に備えられる。
【００５６】
すなわち、この倒れ測定装置４０は、上記測定部１０と制御部３０が連携して動作することにより、上記制御部３０において、静止した状態における上記３軸加速度センサ１２の出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部３５に記憶する原点処理機能と、上記測定部１０において、測定系の３次元座標（Ｘ、Ｙ、Ｚ）のＺ軸と重力加速度方向を一致させた状態での静止した状態における上記３軸角速度センサ１１の出力信号ω（Ｘ０、Ｙ０、Ｚ０）を該３軸角速度センサ１１のゼロ点とする原点設定処理機能と、上記測定部１０において、上記３軸加速度センサ１２の単位時間あたりの出力信号Ｓ（Ｘ、Ｙ、Ｚ）の変位に基づいて静止状態を検出して、上記記憶部３５に予め記憶された上記原点情報Ｓ（Ｘ０、Ｙ０、Ｚ０）を用いて、上記３軸角速度センサ１１の出力信号ω（Ｘ、Ｙ、Ｚ）の少なくとも温度ドリフトを補償するためのデータを算出する補償処理機能と、上記原点設定処理機能により原点設定され、上記補償処理機能により補償処理の施された上記３軸角速度センサの出力信号ω（Ｘ、Ｙ、Ｚ）について、上記測定部１０又は制御部３０において、上記３軸加速度センサ１２の出力信号Ｓ（Ｘ、Ｙ、Ｚ）が上記記憶部３５に予め記憶されている上記原点情報Ｓ（Ｘ０、Ｙ０、Ｚ０）と一致するまでの間、上記３軸角速度センサ１１の出力信号ω（Ｘ、Ｙ、Ｚ）を積分することにより、測定系のＺ軸の倒れに応じた角度情報θを得る測定処理機能とを有している。
【００５７】
ここでは、測定処理機能は、上記測定部１０に備えられているものとする。
【００５８】
すなわち、上記測定部１０の演算処理部１３は、測定系の３次元座標（Ｘ、Ｙ、Ｚ）のＺ軸と重力加速度方向を一致させた状態での静止した状態における上記３軸角速度センサ１１の出力信号ω（Ｘ０、Ｙ０、Ｚ０）を該３軸角速度センサ１１のゼロ点とする原点設定処理機能と、上記３軸加速度センサ１２の単位時間あたりの出力信号Ｓ（Ｘ、Ｙ、Ｚ）の変位に基づいて静止状態を検出して、上記記憶部３５に予め記憶された上記原点情報Ｓ（Ｘ０、Ｙ０、Ｚ０）を用いて、上記３軸角速度センサ１１の出力信号ω（Ｘ、Ｙ、Ｚ）の少なくとも温度ドリフトを補償するためのデータを算出する補償処理機能と、上記原点設定処理機能により原点設定され、上記補償処理機能により補償処理の施された上記３軸角速度センサ１１の出力信号ω（Ｘ、Ｙ、Ｚ）から、傾き情報を得る測定処理機能とを有している。
【００５９】
また、上記測定部１０は、Bluetooth（登録商標）,ZigBee（登録商標），ＵＷＢ（Ultra Wide Band）等の無線通信規格に準拠した無線通信方式による通信機能を有する無線通信部１４により、外部の制御部３０や鉄骨建て方精度管理装置１等とデータの授受を行うことができるようになっている。
【００６０】
さらに、上記測定部１０は、上記演算処理部１３による処理結果などを表示するための表示部１７を備える。この測定部１０における表示部１７は、発光ダイオードや液晶表示素子などにより上記演算処理部１３による処理結果などを防水筐体２０の外表面に表示することができるようになっている。
【００６１】
この倒れ測定装置４０は、上記測定部１０を測定対象の鉄骨柱１１０に取り付けて、無線通信機能によりデータの授受を行い上記制御部３０と上記測定部１０とが連携して動作することにより、上記測定部１０の測定処理機能により鉄骨柱１１０の倒れを測定することができる。
【００６２】
この倒れ測定装置４０は、インストールされた傾き測定処理プログラムに従って上記測定部１０と制御部３０が連携して動作することにより、図３のフローチャートに示す校正処理工程Ｓ１、装着処理工程Ｓ２、測定処理工程Ｓ３における所定の処理を実行して、上記測定部１０の測定処理機能により鉄骨柱１１０の倒れを測定する。
【００６３】
すなわち、この倒れ測定装置４０を用いて鉄骨柱１１０の倒れを測定する本発明に係る鉄骨建て方精度測定方法では、図３のフローチャートに示すように、校正処理工程Ｓ１、装着処理工程Ｓ２、測定処理工程Ｓ３の順で各工程の処理が行われる。
【００６４】
本発明に係る鉄骨建て方精度測定方法における校正処理工程Ｓ１では、図４のフローチャートに示す手順に従って、測定部１０を静止させた状態において、上記制御部３０は、上記３軸加速度センサ１２の出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部３５に記憶し、上記測定系の測定部１０の演算処理部１３は、上記制御部３０の記憶部３５に記憶された原点情報Ｓ（Ｘ０、Ｙ０、Ｚ０）により示される測定系の３次元座標（Ｘ、Ｙ、Ｚ）の原点位置において、上記測定系のＺ軸を重力加速度方向と一致させて上記３軸角速度センサ１１を静止させた姿勢状態を上記３軸角速度センサ１１のゼロ点とする上記３軸角速度センサ１１の原点設定を行う。
【００６５】
この倒れ測定装置４０にインストールされた倒れ測定処理プログラムにより上記原点処理と上記原点設定処理が実行される。
【００６６】
具体的には、校正処理工程Ｓ１では、先ず、測定部１０の電源スイッチ１６をオンにして、例えば図５に示すように、原点用治具５０に測定部１０を装着することにより、上記測定部１０による測定系の３次元座標（Ｘ、Ｙ、Ｚ）のＺ軸を重力加速度方向と一致とさせた規定の姿勢状態で静止させ（ステップＳ１１）、上記測定部１０と制御部３０連携して動作する原点処理機能により、３軸角速度センサ１１と３軸加速度センサ１２を初期化し（ステップＳ１２）、制御部３０が測定部１０の演算処理部１３から軸加速度センサ１２の出力信号Ｓ（Ｘ、Ｙ、Ｚ）すなわち加速度情報を取得して、静止させた状態における上記３軸加速度センサの出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部３５に記憶する（ステップＳ１３）。
【００６７】
ここで、測定系の３次元座標（Ｘ、Ｙ、Ｚ）のＺ軸を重力加速度方向と一致とさせた規定の姿勢状態で上記測定部１０を静止させるための原点用治具としては、上記原点用治具５０の他の例として、例えば、図６に示すように、下げ振り５５を用いることができる。
【００６８】
ここで、下げ振り５５を用いる場合、まず、例えば図７の（Ａ）に示すように測定部１０の重心Ｇを特定し、次に、図７の（Ｂ）に示すように、測定対象の鉄骨柱の面に装着する平面と平行に重心Ｇから線を伸ばして上記測定部１０の上面１０ａとの交点Ｑを求める。そして、図７の（Ｃ）に示すように、求めた交点ａを吊点として上記測定部１０を下げ振り５５の下端先端に吊れば、図７の（Ｄ）及び図８に示すように、吊点と重心Ｇを通る直線が鉛直下向きとなり、かつ上記測定部１０の装着面１０ｂが鉛直となる。
【００６９】
すなわち、校正処理工程Ｓ１におけるステップＳ１１では、建築現場において、下げ振り５５の下端に測定部１０を装着して、上記測定部１０による測定系の３次元座標（Ｘ、Ｙ、Ｚ）のＺ軸を重力加速度方向と一致とさせた規定の姿勢状態で静止させるようにして校正処理を行うようにしても良い。
【００７０】
そして、校正処理工程Ｓ１では、次に、上記制御部３０連携して動作する上記測定部１０の演算処理部１４による補償処理機能により、上記３軸加速度センサ１２の単位時間あたりの出力信号Ｓ（Ｘ、Ｙ、Ｚ）の変位に基づいて静止状態を検出し、上記ステップＳ１３で上記制御部３０の記憶部３５に予め記憶された上記原点情報Ｓ（Ｘ０、Ｙ０、Ｚ０）を用いて、上記３軸角速度センサ１１の出力信号ω（Ｘ、Ｙ、Ｚ）の温度ドリフトを補償するためのデータを算出する（ステップＳ１４）。
【００７１】
ここで、３軸角速度センサ１１の出力信号ω（Ｘ、Ｙ、Ｚ）は、周囲の温度変化によって変化する、いわゆる温度ドリフトを伴うのであるが、静止状態にあるときの角速度センサの出力を比較することによって温度ドリフトの値を抽出することができ、この値をもとに、３軸角速度センサ１１の出力信号ω（Ｘ、Ｙ、Ｚ）を補償することができる。
【００７２】
すなわち、３軸角速度センサ１１の出力信号ω（Ｘ、Ｙ、Ｚ）は、静止状態で温度が変化した場合、例えば図９のグラフβのように変化する。そして、角速度センサ１１を一定量移動させたときの出力信号ω（Ｘ、Ｙ、Ｚ）は、グラフβを電圧軸正方向に平行移動させたグラフαのようになる。
【００７３】
例えば第１の温度Ｔ１のときの３軸角速度センサ１１の出力値Φ（ω（ＸＴ１、ＹＴ１、ＺＴ１））を記憶部に記憶して、第２の温度Ｔ２のとき、静止状態での角速度センサ１１の出力値β１（ω（ＸＴ２、ＹＴ２、ＺＴ２））であるので、上記記憶部に記憶された値Φ（ω（ＸＴ１、ＹＴ１、ＺＴ１））を読み出し、β１（ω（ＸＴ２、ＹＴ２、ＺＴ２））とΦ（ω（ＸＴ１、ＹＴ１、ＺＴ１））との差をとると温度ドリフトによるオフセット量が抽出される。このときのオフセット量をΔとすると、Δ＝Φ−β１となる。
【００７４】
さらに、第２の温度Ｔ２のときに一定量移動させたときの角速度センサ１１の出力信号ω（Ｘ、Ｙ、Ｚ）はα１である。α１にΔを足すと補償出力が算出される。このときの補償出力をωとすると、
ω＝α１＋Δ
＝α１＋（Φ−β１）
＝α１−β１＋Φ
となり、補償出力ωは温度に関係なく一定となる。ωから上記記憶部に記憶しておいたΦの値を減算すれば、（α１−β１）が求まる。
【００７５】
つまり実際には、測定部１０が静止状態のグラフβさえ記憶しておけば、実際に測定部１０を使用するときには、測定部１０を一定量移動させたときのある温度での３軸角速度センサ１１の出力信号ω（Ｘ、Ｙ、Ｚ）（グラフαのある温度における出力電圧）と、グラフβのその温度における出力電圧との差をとることにより、測定部１０の移動のみによる変位が検出できる。よってグラフβは測定部１０の製品出荷時点でデフォルトで測定部１０内の記憶部に記憶されていてもよい。
【００７６】
この測定部１０は、製品出荷時点で上記グラフβが上記演算処理部１３の記憶部に記憶されており、上記ステップＳ１４において、上記演算処理部１４の補償処理機能により、上記３軸加速度センサ１２の単位時間あたりの出力信号Ｓ（Ｘ、Ｙ、Ｚ）の変位に基づいて静止状態を検出し、上記制御部３０の記憶部３５に予め記憶された上記原点情報Ｓ（Ｘ０、Ｙ０、Ｚ０）を用いて、温度ドリフトを補償した上記３軸角速度センサ１１の出力信号ω（Ｘ、Ｙ、Ｚ）を得ることができる。
【００７７】
そして、校正処理工程Ｓ１では、最後に、上記測定系の測定部１０の演算処理部１３により、上記３軸角速度センサ１１の原点設定を行う（ステップＳ１５）。
【００７８】
すなわち、上記測定系の測定部１０の演算処理部１３は、上記制御部３０の記憶部３５に予め記憶された原点情報Ｓ（Ｘ０、Ｙ０、Ｚ０）により示される測定系の３次元座標（Ｘ、Ｙ、Ｚ）の原点位置において、上記測定系のＺ軸を重力加速度方向と一致させて上記３軸角速度センサ１１を静止させた姿勢状態を上記３軸角速度センサ１１のゼロ点とする上記３軸角速度センサ１１の原点設定を行う。
【００７９】
本発明に係る鉄骨建て方精度測定方法における校正処理工程Ｓ１では、測定部１０を静止させた状態において、上記制御部３０は、上記３軸加速度センサ１２の出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部３５に記憶し、上記測定系の測定部１０の演算処理部１３は、上記制御部３０の記憶部３５に記憶された原点情報Ｓ（Ｘ０、Ｙ０、Ｚ０）により示される測定系の３次元座標（Ｘ、Ｙ、Ｚ）の原点位置において、上記測定系のＺ軸を重力加速度方向と一致させて上記３軸角速度センサ１１を静止させた姿勢状態を上記３軸角速度センサ１１のゼロ点とする上記３軸角速度センサ１１の原点設定を行う。
【００８０】
このようにして校正処理工程Ｓ１において校正処理が施された測定部１０は、次の装着処理工程Ｓ２において測定対処の鉄骨柱１１０の一側面に取り付けられ、次の測定処理得工程Ｓ３において上記測定対処の鉄骨柱１１０の傾き測定を行う。
【００８１】
次の装着処理工程Ｓ２では、上記校正処理工程Ｓ１において校正処理が施された測定部１０を、測定対象の鉄骨柱１１０の下側基端位置から所定の距離Ｈだけ上方に位置にさせて所定の姿勢状態で上記鉄骨柱１１０の一側面に取り付ける。
【００８２】
上記所定の姿勢状態とは、測定対象の鉄骨柱１１０が正しく直立した状態、すなわち、鉄骨柱１１０の長手方向と重力方向が一致した状態において、上記測定部１０のＺ軸方向が上記鉄骨柱１１０の長手方向となる姿勢状態である。
【００８３】
上記校正処理工程Ｓ１において校正処理が施された測定系のＺ軸を重力加速度方向と一致させた状態で３軸角速度センサ１１が原点設定された測定部１０は、例えば、次のようにして測定対象の鉄骨柱１１０に取り付けられる。
【００８４】
すなわち、図１０に示すように、測定対象の鉄骨柱１１０の所定位置に予め溶接されたレール１２０に上記校正処理済みの測定部１０を嵌め込み、上記レール１２０に空いたネジ穴１２１に螺合されたネジ１２２を螺進させて上記測定部１０を締め付けることにより、上記測定部１０を上記測定対象の鉄骨柱１１０に所定の姿勢状態で取り付ける。
【００８５】
このようにして上記装着処理工程Ｓ２において、測定対象の鉄骨柱１１０の下側基端位置から所定の距離Ｈだけ上方に位置にさせて所定の姿勢状態で上記鉄骨柱１１０の一側面に取り付けられた測定部１０は、測定対象の鉄骨柱１１０が正しく直立した状態、すなわち、鉄骨柱１１０の長手方向と重力方向が一致した状態ではなく倒れていた場合、上記測定対象の鉄骨柱１１０の倒れに応じて測定系のＺ軸が倒れることになる。
【００８６】
次の測定処理工程Ｓ３では、図１１のフローチャートに示す手順に従って上記測定対象の鉄骨柱１１０の倒れを測定する処理を行う。
【００８７】
測定処理工程Ｓ３では、先ず、上記演算処理部１４に備えられた補償処理機能により、上記３軸角速度センサ１１の出力信号ω（Ｘ、Ｙ、Ｚ）の温度ドリフトを補償する処理を行う（ステップＳ３１）。
【００８８】
このステップＳ３１における温度ドリフト補償処理では、上述の原点処理におけるステップＳ１４と同様に、上記３軸加速度センサ１２の単位時間あたりの出力信号Ｓ（Ｘ、Ｙ、Ｚ）の変位に基づいて静止状態を検出し、上記制御部の記憶部３５に予め記憶された上記原点情報Ｓ（Ｘ０、Ｙ０、Ｚ０）を用いて、上記３軸角速度センサ１１の出力信号ω（Ｘ、Ｙ、Ｚ）の温度ドリフトを補償するためのデータを算出する。
【００８９】
測定処理工程Ｓ３では、次に、上記演算処理部１４により、不感帯設定処理（ステップＳ３２）、バランス調整処理（ステップＳ３３）を行い、バランス調整処理済みの３軸角速度センサ１１の出力信号ω（Ｘ、Ｙ、Ｚ）を積分する（ステップＳ３４）。
【００９０】
上記３軸角速度センサ１１の出力信号ω（Ｘ、Ｙ、Ｚ）が供給される演算処理部１３における測定処理では、上記ステップＳ３１における温度ドリフト補償処理が施された上記３軸角速度センサ１１の出力信号ω（Ｘ、Ｙ、Ｚ）により示される各軸の角速度情報（GX:Ｘ軸角速度データ、YX:Ｙ軸角速度データ、GZ:Ｚ軸角速度データ）を
float Verosity_X = GX
Verosity_Y = GY
Verosity_Z = GZ
として定義して、ステップＳ３２の不感帯設定処理では、３軸角速度センサ１１の各軸不感帯設定用TX、ＴＹ、TZ左右閾値変数を
int TX_RIGHT=40,TX_LEFT=-40
TY_RIGHT=40,TY_LEFT=-40
TZ_RIGHT=40,TZ_LEFT=-40
として設定し、３軸角速度センサの各軸±バランス調整用のθ演算オフセット変数を
float TX_OFSET=1.0
TY_OFSET=1.0
TZ_OFSET=1.0
と定義して、ステップＳ３３において、TX、ＴＹ、TZ左右閾値変数によるオフセット処理すなわち３軸角速度センサの各軸±バランス調整処理を、次のように行い、
if(Verosity_X>TX_RIGHT) TX_OFSET=1.2
if(Verosity_X<TX_LEFT)  TX_OFSET=0.8
if(Verosity_Y>TX_RIGHT) TY_OFSET=1.15
if(Verosity_Y<TX_LEFT)  TY_OFSET=0.85
if(Verosity_Z>TX_RIGHT) TZ_OFSET=0.75
if(Verosity_Z<TX_LEFT)  TZ_OFSET=1.25
その後のステップＳ３４において、θ演算（TX:Ｘ軸角速度積分値、TY:Ｙ軸角速度積分値、TZ:Ｚ軸角速度積分値）を、次のように行い、
TX=TX+(Verosity_X/100)*TX_OFSET
TY=TY+(Verosity_Y/100)*TY_OFSET
TZ=TZ+(Verosity_Z/100)*TZ_OFSET
微少振動や衝撃による誤差を除去した傾き情報θ（ＴＸ，ＴＹ，ＴＺ）を算出する。
【００９１】
測定処理工程Ｓ３では、上記演算処理部１４と連携して動作する制御部３０は、上記３軸加速度センサ１２の出力信号Ｓ（Ｘ、Ｙ、Ｚ）を逐次取得し（ステップＳ３５）、取得した上記３軸加速度センサの出力信号Ｓ（Ｘ、Ｙ、Ｚ）が上記記憶部に記憶した原点情報Ｓ（Ｘ０、Ｙ０、Ｚ０）と一致するか否かを判定する（ステップＳ３６）。
【００９２】
そして、上記演算処理部１４は、上記制御部３０による上記ステップＳ３６における判定結果が「ＮＯ」すなわち上記ステップＳ３５において取得した上記３軸加速度センサ１２の出力信号Ｓ（Ｘ、Ｙ、Ｚ）が上記記憶部３５に記憶した原点情報Ｓ（Ｘ０、Ｙ０、Ｚ０）と一致しない場合には、上記ステップＳ３１の温度ドリフト補償処理に戻って、上記ステップＳ３１から上記ステップＳ３６の処理を繰り返し行うことにより、上記３軸加速度センサの出力信号Ｓ（Ｘ、Ｙ、Ｚ）が上記記憶部３５に記憶されている上記原点情報Ｓ（Ｘ０、Ｙ０、Ｚ０）と一致するまでの間、上記３軸角速度センサ１１の出力信号ω（Ｘ、Ｙ、Ｚ）を積分して、上記測定対象の鉄骨柱１１０の倒れを示す角度情報θ（ＴＸ，ＴＹ，ＴＺ）を算出する。
【００９３】
そして、上記演算処理部１４は、上記ステップＳ３６における判定結果が「ＹＥＳ」すなわちステップＳ３５において取得した上記３軸加速度センサ１２の出力信号Ｓ（Ｘ、Ｙ、Ｚ）が上記制御部３０の記憶部３５に予め記憶した原点情報Ｓ（Ｘ０、Ｙ０、Ｚ０）と一致したら、上記３軸角速度センサ１１のゼロ点設定処理（ステップＳ３７）と、上記補償処理機能によるドリフト補償処理を初期化するために上記３軸角速度センサ１１のキャリブレーション処理（ステップＳ３８）を行い、上記制御部３０は、ソフトウェアにおける終了命令による角度算出終了か否かを判定する（ステップＳ３９）。
【００９４】
このステップＳ３９における判定結果が「ＮＯ」すなわち角度算出終了でない場合には、上記演算処理部１４は、上記ステップＳ３１の温度ドリフト補償処理に戻って、上記ステップＳ３１から上記ステップＳ３９による角度情報θの算出処理を継続する。また、上記制御部３０は、このステップＳ３９における判定結果が「ＹＥＳ」であれば、上記演算処理部１４による角度算出処理を終了する。
【００９５】
ここで、図１２の模式図に示すように、下側基端が固定されて立設された高さＨ＝１００００ｍｍの鉄骨柱１１０が傾いて、時刻ｔ＝０において下側基端の上方に位置していた鉄骨頂部が、例えば、毎秒０．０１５°の一定の角速度ωで変位した場合、１０秒後の時刻ｔ＝１０における鉄骨柱１１０の角変位σθは、
σθ＝０．０１５°×１０秒
＝０．１５°
＝０．００２６１８ｒａｄ
となる。したがって、誤差を含まない場合の鉄骨頂部の変位Δｒは、
Δｒ＝０．００２６１８×Ｈ
＝０．００２６１８×１００００
＝２６．１８０ｍｍ
となる。
【００９６】
上記測定部１０は、上記校正処理により測定系のＺ軸を重力加速度と一致させた状態で限定設定を行い、上記３軸加速度センサ１２の単位時間あたりの出力信号Ｓ（Ｘ、Ｙ、Ｚ）の変位に基づいて静止状態を検出して、上記記憶部３５に予め記憶された上記原点情報Ｓ（Ｘ０、Ｙ０、Ｚ０）を用いて、上記３軸角速度センサ１１の出力信号ω（Ｘ、Ｙ、Ｚ）の温度ドリフト補償を行うので、温度ドリフトの影響を受けることなく、上記３軸角速度センサ１１の出力信号ω（Ｘ、Ｙ、Ｚ）を高精度の傾き情報として逐次出力することができる。
【００９７】
すなわち、この倒れ測定装置４０は、図１３に示すように、上記校正処理済みの測定部１０を鉄骨柱１１０の鉄骨頂部近傍の所定位置に取り付けることにより、鉄骨柱１１０の傾きを高精度に測定することができ、上記無線通信部１４による通信機能を介して上記測定部１０と連携して動作する上記制御部３０で鉄骨柱１１０の傾きの定結果を収集することができる。
【００９８】
また、上記測定部１０の表示部１７には、上記演算処理部１３による処理出力に基づいて、この鉄骨建て方精度測定装置による測定結果として、例えば図１４に示すように、測定系のＺ軸の倒れ変位量を筐体表面に表示することができる。
【００９９】
すなわち、上記表示部１７には、例えば図１４の（Ａ）に示すように、上記校正処理工程Ｓ１において上記測定部１０による測定系の３次元座標（Ｘ、Ｙ、Ｚ）のＺ軸を重力加速度方向させて静止させた状態における上記３軸加速度センサ１２の出力信号Ｓ（Ｘ、Ｙ、Ｚ）にて示される原点位置をＰ０として、上記３軸角速度センサ１１の出力信号ω（Ｘ、Ｙ、Ｚ）を積分することにより得られる上記測定系のＺ軸の倒れ変位量を、図１４の（Ｂ）に示すように、上記原点位置Ｐ０を中心として、２次元平面（Ｘ，Ｙ）上におけるＸ軸方向の変位量ΔｒＸとＹ軸方向の変位量ΔｒＹとして、簡易表示する。
【０１００】
１２の（Ｂ）は、上記校正処理済みの測定部１０が鉄骨頂部近傍に装着した鉄骨柱１１０の傾き応じて傾く上記測定系のＺ軸が 上記２次元平面（Ｘ，Ｙ）上の位置Ｐ１を通過する場合を示している。
【０１０１】
このように、この測定部１０は、表示部１７により測定系のＺ軸の倒れ変位量を筐体表面に表示するので、ユーザは簡単に鉄骨柱１１０の倒れ量を知ることができる。従って、この測定部１０は、表示部１７を備えることにより、スタンドアロンの倒れ測定器として機能する。
【０１０２】
また、上記測定部１０と連携して動作する上記制御部３０は、上記無線通信機能により、上記測定部１０の演算処理部１３から上記３軸角速度センサ１１の出力信号ω（Ｘ、Ｙ、Ｚ）の情報を取得することができるので、上記演算処理部１３による上記ステップＳ３１からステップＳ３６までの角度算出処理を行うようにすることができる。
【０１０３】
すなわち、この倒れ測定装置４０は、上述の如く、上記測定部１０と制御部３０が連携して動作することにより、上記制御部３０において、静止した状態における上記３軸加速度センサ１２の出力信号Ｓ（Ｘ、Ｙ、Ｚ）を測定系の３次元座標（Ｘ、Ｙ、Ｚ）の原点情報Ｓ（Ｘ０、Ｙ０、Ｚ０）として上記記憶部３５に記憶する原点処理機能と、上記測定部１０において、測定系の３次元座標（Ｘ、Ｙ、Ｚ）のＺ軸と重力加速度方向を一致させた状態での静止した状態における上記３軸角速度センサ１１の出力信号ω（Ｘ０、Ｙ０、Ｚ０）を該３軸角速度センサ１１のゼロ点とする原点設定処理機能と、上記測定部１０において、上記３軸加速度センサ１２の単位時間あたりの出力信号Ｓ（Ｘ、Ｙ、Ｚ）の変位に基づいて静止状態を検出して、上記記憶部３５に予め記憶された上記原点情報Ｓ（Ｘ０、Ｙ０、Ｚ０）を用いて、上記３軸角速度センサ１１の出力信号ω（Ｘ、Ｙ、Ｚ）を補償するためのデータを算出する補償処理機能と、上記測定部１０において、上記原点設定処理機能により原点設定され、上記補償処理機能により補償処理の施された上記３軸角速度センサ１１の出力信号ω（Ｘ、Ｙ、Ｚ）から、上記測定部１０又は制御部３０において傾き情報を得る測定処理機能とを有するものとすることができる。
【０１０４】
また、この倒れ測定装置４０において、上記校正処理済みの測定部１０は、上述の如く、上記制御部３０の記憶部１３に記憶された原点情報Ｓ（Ｘ０、Ｙ０、Ｚ０）により示される測定系の３次元座標（Ｘ、Ｙ、Ｚ）の原点位置において、上記測定系のＺ軸を重力加速度方向と一致させて上記３軸角速度センサ１１を静止させた姿勢状態を上記３軸角速度センサ１１のゼロ点とする原点設定された上記３軸角速度センサ１１の出力信号ω（Ｘ、Ｙ、Ｚ）を上記測定系の測定系の３次元座標（Ｘ、Ｙ、Ｚ）のＺ軸に傾きに応じた傾き情報として上記演算処理部１３から無線通信部１４を介して上記制御部３０に送ることができ、また、上記制御部３０は、上記測定部１０に備えられた無線通信部１４による通信機能に対応する通信機を有する可搬型の小型コンピュータを上記制御部３０として用いることができる。
【０１０５】
そして、上記制御部３０には、校正処理における上記ステップＳ１３において取得される原点情報Ｓ（Ｘ０、Ｙ０、Ｚ０）等を測定部１０と対応付けて保存することができ、予め上記校正処理工程Ｓ１における校正処理が行なわれた複数の測定部１０の各原点情報を図１に示した鉄骨建て方精度管理システム１００における倒れ測定器１０ＡＡ，１０ＡＢ，１０ＡＣ・・・，１０ＢＡ，１０ＢＢ，・・・として測定対象の鉄骨柱１１０ＡＡ，１１０ＡＢ，・・・１１０ＢＡ，１１０ＢＢ，１１０ＢＣ，・・・に取り付けることにより、上記校正処理工程Ｓ１における校正処理により上記倒れ測定器１０ＡＡ，１０ＡＢ，１０ＡＣ・・・，１０ＢＡ，１０ＢＢ，・・・の各原点情報Ｓ（Ｘ０、Ｙ０、Ｚ０）等を保存した制御部３０を上記鉄骨建て方精度管理システム１００における上記鉄骨建て方精度管理装置１として用いて、鉄骨建て方精度管理を行うことができる。
【０１０６】
すなわち、上記倒れ測定装置４０を用いてを行う鉄骨建て方精度管理システム１００では、測定対象の鉄骨柱１１０ＡＡ，１１０ＡＢ，１１０ＡＣ・・・，１１０ＢＡ，１１０ＢＢ，・・・の全数分の測定部１０・・・を準備して倒れ測定器１０ＡＡ，１０ＡＢ，１０ＡＣ・・・，１０ＢＡ，１０ＢＢ，・・・１０として上記校正処理を行い、校正処理済みの倒れ測定器１０ＡＡ，１０ＡＢ，１０ＡＣ・・・，１０ＢＡ，１０ＢＢ，・・・１０を測定対象の鉄骨柱１１０ＡＡ，１１０ＡＢ，１１０ＡＣ・・・，１１０ＢＡ，１１０ＢＢ，・・・の所定位置に取り付けることにより、測定対象の鉄骨柱１１０ＡＡ，１１０ＡＢ，１１０ＡＣ・・・，１１０ＢＡ，１１０ＢＢ，・・・の傾きを同時に測定して、建物全体の変位をリアルタイムに計測することができ、上記校正処理により取得された上記倒れ測定器１０ＡＡ，１０ＡＢ，１０ＡＣ・・・，１０ＢＡ，１０ＢＢ，・・・１０の原点情報Ｓ（Ｘ０、Ｙ０、Ｚ０）等を保存した制御部３０を鉄骨建て方精度管理装置１として用いて、各倒れ測定器１０ＡＡ，１０ＡＢ，１０ＡＣ・・・，１０ＢＡ，１０ＢＢ，・・・によって取得される各測定データを無線通信を利用して１台で集約管理することができる。
【符号の説明】
【０１０７】
１  鉄骨建て方精度管理装置、１０  測定部、１０ＡＡ，１０ＡＢ，・・・傾き測定器、１１  ３軸角速度センサ、１２  ３軸加速度センサ、１３  演算処理部、１４  無線通信部、１５  電源部、１６  電源スイッチ、１７  表示部、３０  制御部、４０  倒れ測定装置、５０  原点用治具、５５  下げ振り、１００  鉄骨建て方精度管理システム、１１０，１１０ＡＡ，１１０ＡＢ，・・・鉄骨柱、１２０  レール、１２１  ネジ穴１２１、１２２  ネジ
【図１】
2018179533.tif 000003
【図２】
2018179533.tif 000004
【図３】
2018179533.tif 000005
【図４】
2018179533.tif 000006
【図５】
2018179533.tif 000007
【図６】
2018179533.tif 000008
【図７】
2018179533.tif 000009
【図８】
2018179533.tif 000010
【図９】
2018179533.tif 000011
【図１０】
2018179533.tif 000012
【図１１】
2018179533.tif 000013
【図１２】
2018179533.tif 000014
【図１３】
2018179533.tif 000015
【図１４】
2018179533.tif 000016